(57)【特許請求の範囲】
【請求項１】
天板と、この天板の下方空間を遮蔽するカバーと、前記下方空間に設けられる引出しとを備え、前記引出しが、遮蔽カバーを兼ね上面に上向き凹溝を形成された前板を有し、前記天板が、その裏面の前記上向き凹溝に対向する箇所に下向き凹溝を有している浴室ユニット用テーブル。
【発明の詳細な説明】
【０００１】
【発明の属する技術分野】
本発明は、洗面器等を置くことのできる浴室ユニット用テーブルに関する。
【０００２】
【従来の技術】
従来の浴室ユニット用テーブルとしては、カウンターや洗面器置き台と呼ばれるものがあり、何れも天板の下側に通した配管を遮蔽板で覆い隠している。
【０００３】
しかし、これらは、配管の点検等をするとき以外には遮蔽板を取り外さない前提で設計してあるので、入浴者が遮蔽板を手軽に取り外すことはできない。そのため、外観は見栄えするが、天板の下側空間が有効に活用されていない。この空間に石鹸類、スポンジ等の小物を収容することができれば便利であると本発明者らは考えた。
【０００４】
【発明が解決しようとする課題】
本発明は上記実情を考慮して開発されたものであり、その目的は、配管を隠しながらも天板の下側に小物を収容することのできる浴室ユニット用テーブルを提供することである。
【０００５】
【課題を解決するための手段】
上記目的を達成するため、本発明では次の構成をとった。すなわち、本発明は、天板と、この天板の下方空間を遮蔽するカバーと、前記下方空間に設けられる引出しとを備え、前記引出しが、遮蔽カバーを兼ね上面に上向き凹溝を形成された前板を有し、前記天板が、その裏面の前記上向き凹溝に対向する箇所に下向き凹溝を有している浴室ユニット用テーブルである。
【０００６】
上記浴室ユニット用テーブルにおいて、天板１の下方空間には、配管用空間４及び小物収容空間５のほかに支持空間３を割り当てることができる。
【０００７】
また、天板１が浴槽と壁面との間に挟まれる形態の場合には、カバー２は前面のみを覆う構造でよい。天板１の左右が壁面又は浴槽と離れている形態の場合には、カバー２は前面、左側面及び右側面の三面を覆う構造となる。天板１の左右のうち一方のみが壁面又は浴槽と離れている形態の場合には、カバー２は前面と（左右いずれかの）離れている側面との二面を覆う構造となる。
【０００８】
なお、ここで「カバー」とは、浴室内から見て天板１の下方を囲んでいるものをいい、必ずしも一枚のパネルで形成してなくともよい。天板１の真下空間のほぼ全域を覆う形態であっても、真下空間のうち幅中央部のみを覆う形態であってもよい。また、天板１の下側の左右に中空状の支持体６を取り付け、両支持体６，６の間に形成される開口部７に覆い部材８を取り付けたものも、天板１の下方を覆っているのでカバーと言える。
【０００９】
また、配管用空間４及び小物収容空間５は、カバー２で包囲した天板１の下方空間のどの場所に設けてもよいが、包囲空間を有効に利用するには、奥側に配管用空間４を、手前側に小物収容空間５を設けることが好ましい。
【００１０】
また、配管用空間４と小物収容空間５との間を仕切板１３で区画し、この仕切板１３によって配管用空間４の少なくとも下部を隠せば、覆い部材８を取り外した状態でも、テーブルの前に座った人の目線からは、配管の大部分が見えないこととなり、体裁の良さを維持できる。また、この仕切板１３は漏水の防止にも役立つ。
【００１１】
覆い部材８はヒンジ式に開閉する扉であってもよいが、扉を開くだけでは小物収容空間５に入れた小物が天板１より手前側に移動しないので、小物の取り出しを容易にするには、覆い部材８は小物収容空間５に出し入れする引出し８であることが好ましい。
【００１２】
また、水を溜まりにくくして引出し内を清潔に保つには、引出し８の底壁に水抜き穴１２を設けたり、引出し８の前壁の上面に上向き凹溝１９を形成すると共に、天板１の裏面には上向き凹溝１９に対向する箇所に下向き凹溝１７を形成してあることが好ましい。
【００１３】
【発明の実施の形態】
図１は本発明の浴室ユニット用テーブルの第一実施形態を示す分解斜視図、図２は天板の真下空間の割り当てを示す平面図である。
本発明の浴室ユニット用テーブルの第一実施形態（図１）は、俗にカウンターと呼ばれるタイプに適用したもので、壁面から突出する天板１と、天板１から垂下して配管Ｐ（図２参照）を隠すカバー２を備えている。
【００１４】
カバー２は、天板１の真下空間の前面や左右側面を覆うものであり、真下空間のうち左側部分と右側部分を天板１の支持空間３、真下空間の中央部分奥側を配管用空間４、その手前側を小物収容空間５にそれぞれ割り当て（図２参照）、各支持空間３に中空の支持体６を配置し、左右に離れた両支持体６，６の前面側の間を開口部７とし、覆い部材としての引出し８を開口部７から小物収容空間５に前後にスライド可能に出し入れするものである。
【００１５】
引出し８の左右側面には鍔状の係合レール９を前後に沿って突出させる一方、支持体６の内面側に鍔状の被係合レール１０を突出させ、被係合レール１０上に係合レール９を載せて引出し８をスライドさせる。引き出し量が少ない場合には、引出し８が開いた状態となり、多い場合には取り外した状態となる。
【００１６】
引出し８は、奥側が低くなる傾斜を底壁１１に付けてあり、底壁１１の奥に水抜き穴１２を開けて、自然と水が床に落下するようにしてある。
【００１７】
支持体６は、床パネル上に載せて壁パネルにビス止めする。また、天板１は、左右の支持体６，６の上に載せてビス止めする。なお、符号Ｈは、配管Ｐを通すための抜穴である。
【００１８】
また、配管用空間４と小物収容空間５の間の下部には仕切板１３を着脱可能に設けてある。図３は仕切板を着脱する構造を示す正面図（イ）及び平面図（ロ）である。図示するように、各支持体６の内側面には、仕切板１３の左右縁部を嵌めるコ字状の受部１４を上下に沿って固定し、各受部１４の前片１５に複数の切欠部１６を上下に間隔を開けて設け、一方、仕切板１３の左右縁部の下端から少し上側を、前片１５に対応した形状としてある。従って、仕切板１３を両受部１４に取り付ける場合は、仕切板１３の左右縁部を切欠部１６から受部１４内に挿入し、仕切板１３を下ろして床に付けて、受部１４から仕切板１３が外れないようにしてある。
【００１９】
引出し８内に水が溜まりにくくするために、図４に示すように天板１の前縁部の裏面には逆Ｖ字状の下向き凹溝１７を左右に沿って形成する一方で、下向き凹溝１７の真下に対応する箇所の前壁１８の上面に、Ｕ字状の上向き凹溝１９を形成すると共に、上向き凹溝１９の幅中央部を高く、左右端部を低く形成して、水が自然に左右端部から落下するように水切り性を高めてある。
【００２０】
本発明の第二実施形態は図５に示すように洗面器置き台と呼ばれるタイプに適用したものである。カバー２は、天板１の真下空間のうち横幅中央部の前面及び左右側面を覆うものであり、配管用空間４の左右を覆う包囲壁２０と、両包囲壁２０，２０間に介在し且つ配管用空間４の前側下部を覆う仕切板１３と、配管用空間４の前側上部を覆いつつも小物収容空間５に配置される引出し８と、から形成してある。この場合、開口部７は小物収容空間５の前面及び左右側面とから構成され、平面視でコ字状となる。また、図示しないが天板１の裏面に被係合レール１０を取り付けておく。
【００２１】
なお、天板１の上方の水栓２１から、手前に引いた引出し８内に水を直接流せるように、水栓２１の吐水部２２が天板１の真上だけでなく、天板１よりも手前側に移動可能な構造であることが好ましい。
【００２２】
この水栓２１の詳細構造は図面では示さないが、複数の導管の端部同士を水平方向に回転可能に連結したもので、平面視でＬ字状になった場合に、天板１の真上に吐出部２２が位置し、全体を一直線とした場合に天板１よりも手前に吐水部２２を位置させることができる。
【００２３】
【発明の効果】
本発明の浴室ユニット用テーブルは、配管を隠すカバーで囲まれた天板の下方空間を巧みに小物収容空間として利用している。そのため、カバーの開口部を塞ぐ覆い部材を開けて小物を収納し、閉めると体裁のよい状態を保つことができる。また、配管を点検する際、覆い部材を取り外せば覆い部材が邪魔にならないので作業性がよい。
【００２４】
奥側を配管用空間とし、手前側を小物収容空間として、カバーで囲まれた狭い空間の多くを小物収容空間に割り当てれば、そこに多くの小物を収容できる。
【００２５】
覆い部材として引出しを用いれば、これを手前に引くことによって引出し内に入れた小物を一時に取り出すことができる。
【００２６】
引出し内に水が最も入り込み易い部分に、上向き凹溝及び下向き凹溝を設ければ、引出し内に水が溜まるのを効率よく阻止でき、清潔さを保つことができる。
【図面の簡単な説明】
【図１】本発明の浴室ユニット用テーブルの第一実施形態を示す分解斜視図である。
【図２】天板の真下空間の割り当てを示す平面図である。
【図３】仕切板を着脱する構造を示す正面図（イ）、平面図（ロ）である。
【図４】引出しに水を溜まり難くする構造を示す要部縦断面図である。
【図５】本発明の浴室ユニット用テーブルの第二実施形態を示す正面図（イ）、右側面図（ロ）である。
【符号の説明】
１：天板            ２：カバー
３：支持空間        ４：配管用空間
５：小物収容空間    ６：支持体
７：開口部          ８：覆い部材（引出し）
９：係合レール    １０：被係合レール
１１：底壁          １２：水抜き穴
１３：仕切板        １４：受部
１５：前片          １６：切欠部
１７：下向き凹溝    １８：前壁
１９：上向き凹溝    ２０：包囲壁
Ｈ：抜き穴        Ｐ：配管
【図１】
0003705417.tif 000002
【図２】
0003705417.tif 000003
【図３】
0003705417.tif 000004
【図４】
0003705417.tif 000005
【図５】
0003705417.tif 000006